(57)【要約】【課題】  食品その他の洗浄・殺菌に用いられるオゾン水を生成する為のオゾン水製造装置に於て、オゾンガスと水との混合効率の向上とコストの低減を図る。【解決手段】  オゾンガスＡを発生する為のオゾン発生手段２と、オゾン発生手段２からのオゾンガスＡを供給する為のオゾンガス供給路３と、水Ｃを供給する為の水供給路４と、オゾンガス供給路３からのオゾンガスＡと水供給路４からの水Ｃを混合させてオゾン水Ｄを生成する為の密閉型の混合タンク５と、混合タンク５からのオゾン水Ｄを排出する為のオゾン水排出路６とで構成し、とりわけ密閉型の混合タンク５を設ける。【選択図】        図１
2009000609.tif 000002
【特許請求の範囲】
【請求項１】
オゾンガスを発生する為のオゾン発生手段と、オゾン発生手段からのオゾンガスを供給する為のオゾンガス供給路と、水を供給する為の水供給路と、オゾンガス供給路からのオゾンガスと水供給路からの水を混合させてオゾン水を生成する為の密閉型の混合タンクと、混合タンクからのオゾン水を排出する為のオゾン水排出路と、から構成した事を特徴とするオゾン水製造装置。
【請求項２】
オゾンガス供給路には、オゾン発生手段からのオゾンガスを直接排出する為のオゾンガス排出路を備えている請求項１に記載のオゾン水製造装置。
【請求項３】
オゾン水排出路には、オゾン水の濃度を検出する為のオゾン水濃度検出器を備えている請求項１に記載のオゾン水製造装置。
【請求項４】
オゾン水排出路には、オゾン水を循環させる為のオゾン水循環路と、これの途中に設けられたオゾン水循環ポンプとを備えている請求項１に記載のオゾン水製造装置。
【請求項５】
混合タンクは、縦長の容器状を呈し、上部略中央には水供給路が下向きに接続されていると共に、これの近傍位置にはオゾンガス供給路が下向きに接続されている請求項１に記載のオゾン水製造装置。
【発明の詳細な説明】
【技術分野】
【０００１】
本発明は、例えば、食品その他の洗浄・殺菌に用いられるオゾン水を生成する為のオゾン水製造装置の改良に関する。
【背景技術】
【０００２】
従来、この種のオゾン水製造装置に於ては、オゾンガスと水との混合部分を次の様にしたものが知られている。
（１）  ポンプを用いるもの（特許文献１〜４参照）。
（２）  エジェクタを用いるもの（特許文献５〜８参照）。
（３）  複数のオーバーフロー槽を有する溶解タンクを用いるもの（特許文献９参照）。
【０００３】
【特許文献１】特開平８−２２９５８２公報
【特許文献２】特許第３４１３２７０公報
【特許文献３】特許第３７５９４６１公報
【特許文献４】特許第３７５９４６２公報
【特許文献５】特開平６−２３３８０５公報
【特許文献６】特開平１０−１５５４６７公報
【特許文献７】特開２００３−３２０２３２公報
【特許文献８】特許第３７６５１３１公報
【特許文献９】特開２００４−５７９４０公報
【発明の開示】
【発明が解決しようとする課題】
【０００４】
然しながら、前記（１）のものは、駆動源が必要であるので、イニシャルコスト並びにランニングコストが高く付く難点があった。前記（２）のものは、とりわけ水道水を用いた場合には、圧力が小さくて地域差もあるので、オゾンガスと水との混合効率が芳しくなかった。前記（３）のものは、構造が複雑であるので、イニシャルコストが高く付く難点があった。
要するに、何れのものも、一長一短があり、オゾンガスと水との混合効率を向上できると共に、コストの低減を図る事ができるものが望まれていた。
【０００５】
本発明は、叙上の問題点に鑑み、これを解消する為に創案されたもので、その課題とする処は、オゾンガスと水との混合効率を向上できると共に、コストの低減を図る事ができるオゾン水製造装置を提供するにある。
【課題を解決するための手段】
【０００６】
本発明のオゾン水製造装置は、オゾンガスを発生する為のオゾン発生手段と、オゾン発生手段からのオゾンガスを供給する為のオゾンガス供給路と、水を供給する為の水供給路と、オゾンガス供給路からのオゾンガスと水供給路からの水を混合させてオゾン水を生成する為の密閉型の混合タンクと、混合タンクからのオゾン水を排出する為のオゾン水排出路と、から構成した事に特徴が存する。
【０００７】
オゾン発生手段に依り発生されたオゾンガスは、オゾン供給路を経て混合タンクに供給される。水供給源からの水は、水供給路を経て混合タンクに供給される。供給されたオゾンガスと水は、混合タンク内で混合されてオゾン水が生成される。生成されたオゾン水は、オゾン水排出路を経て排出されて食品その他の洗浄・殺菌に用いられる。
オゾンガスと水を混合タンクに供給すると、これらは混合タンク内で膨張されながら混合されるので、圧力が小さくて地域差がある水道水を用いても、効率良く混合されてオゾン水が生成される。混合タンクは、オゾン水を貯溜する貯溜槽としても利用される。
【０００８】
オゾンガス供給路には、オゾン発生手段からのオゾンガスを直接排出する為のオゾンガス排出路を備えているのが好ましい。この様にすれば、オゾン水だけでなくオゾンガスも使用する事ができる。
【０００９】
オゾン水排出路には、オゾン水の濃度を検出する為のオゾン水濃度検出器を備えているのが好ましい。この様にすれば、所定濃度のオゾン水を得る事ができる。
【００１０】
オゾン水排出路には、オゾン水を循環させる為のオゾン水循環路と、これの途中に設けられたオゾン水循環ポンプとを備えているのが好ましい。この様にすれば、オゾン水の濃度を均一にする事ができる。
【００１１】
混合タンクは、縦長の容器状を呈し、上部略中央には水供給路が下向きに接続されていると共に、これの近傍位置にはオゾンガス供給路が下向きに接続されているのが好ましい。この様にすれば、オゾンガスと水とが同方向に平行して供給されるので、混合が円滑に行われて混合効率をより一層高める事ができる。
【発明の効果】
【００１２】
本発明に依れば、次の様な優れた効果を奏する事ができる。
（１）  オゾン発生手段、オゾンガス供給路、水供給路、混合タンク、オゾン水排出路とで構成し、とりわけオゾンガスと水を混合させてオゾン水を生成する為の密閉型の混合タンクを設けたので、オゾンガスと水との混合効率を向上できると共に、コストの低減を図る事ができる。
【発明を実施するための最良の形態】
【００１３】
以下、本発明の実施の形態を、図面に基づいて説明する。
図１は、本発明のオゾン水製造装置の構造を示す概要図である。
【００１４】
オゾン水製造装置１は、オゾン発生手段２、オゾンガス供給路３、水供給路４、混合タンク５、オゾン水排出路６とからその主要部が構成されている。
【００１５】
オゾン発生手段２は、オゾンガスＡを発生する為のもので、この例では、酸素ガスＢが貯留された酸素ボンベ７と、これからの酸素ガスＢを所定の流量（１Ｌ／ｍｉｎ）に調整する為のレギュレータ８と、酸素ボンベ７からの酸素ガスＢを供給する為の酸素ガス供給路９と、これに設けられて酸素ボンベ７からの酸素ガスＢを通断する酸素ガス供給弁（電磁弁）１０と、無声放電に依って酸素ガスＢからオゾンガスＡを所定の発生量（３ｇ／ｈ）だけ発生させるオゾン発生器１１とを備えている。
【００１６】
オゾンガス供給路３は、オゾン発生手段２からのオゾンガスＡを供給する為のもので、この例では、オゾン発生手段２と混合タンク５との間に介設されて居り、オゾン発生手段２からのオゾンガスＡを直接排出する為のオゾンガス排出路１２と、これとの分岐点に設けられてオゾン発生手段２からのオゾンガスＡを混合タンク５側又はオゾンガス排出路１２側に切換えて接続する為の三方弁（電磁弁）１３と、オゾン発生手段２からのオゾンガスＡの通流を許容して混合タンク５からの逆流を阻止する為の逆止弁１４と、オゾンガスＡの供給状態を検出する為のオゾンガス供給状態検出器（圧力スイッチ）１５とを備えている。
【００１７】
水供給路４は、水Ｃを供給する為のもので、この例では、所定の流量（２０〜２５Ｌ／ｍｉｎ）で所定の圧力（０．２５〜０．３５Ｍｐａ）の水道水を供給する水供給源（水道水の蛇口）１６と混合タンク５との間に介設されて居り、水Ｃの供給状態を検出する為の水供給状態検出器（フロースイッチ）１７と、水供給源１６からの水Ｃを通断する水供給弁（電磁弁）１８とを備えている。
【００１８】
混合タンク５は、オゾンガス供給路３からのオゾンガスＡと水供給路４からの水Ｃを混合（溶解）させてオゾン水Ｄを生成する為の密閉型のもので、この例では、所定の容量（１０Ｌ）を有する縦長の容器（円筒）状を呈して居り、上部略中央には水供給路４が下向きに接続されていると共に、これの近傍位置にはオゾンガス供給路３が下向きに接続されている。混合タンク５の下部略中央には、ドレン路１９が接続されていると共に、これにはドレン弁（ドレンコック）２０が介設されている。
【００１９】
オゾン水排出路６は、混合タンク５からのオゾン水Ｄを排出する為のもので、この例では、混合タンク５とオゾン水貯溜槽２１との間に介設されて居り、オゾン水Ｄの排出状態を検出する為のオゾン水排出状態検出器（フロースイッチ）２２と、混合タンク５からのオゾン水Ｄを通断するオゾン水排出弁（電磁弁）２３と、オゾン水Ｄの濃度を検出する為のオゾン水濃度検出器（オゾン水濃度計）２４と、オゾン水貯溜槽２１のオゾン水Ｄを循環させる為のオゾン水循環路２５と、これの途中に設けられたオゾン水循環ポンプ２６とを備えている。
オゾン水排出路６は、一端が混合タンク５の上部から内部に貫通されて下部近傍に臨まされていると共に、他端がオゾン水貯溜槽２１の上部に臨まされている。
オゾン水貯溜槽２１は、オゾン水製造装置１の外部に設置されたもので、上方が開放した容器状を呈している。
【００２０】
水供給路４とオゾン水排出路６とオゾン水循環路２５は、オゾン水製造装置１の内外で分断されてクイックジョイント２７に依り着脱可能に接続される様になっている。
【００２１】
次に、この様な構成に基づいてその作用を述解する。
酸素ガス供給弁１０が開弁されると共に、三方弁１３が混合タンク５側に切換えられてオゾン発生手段２のオゾン発生器１１が運転されると、酸素ボンベ７の酸素ガスＢが酸素ガス供給路９に依りレギュレータ８と酸素ガス供給弁１０を通ってオゾン発生器１１に供給され、無声放電に依りオゾンガスＤが発生される。発生されたオゾンガスＤは、オゾンガス供給路３に依り三方弁１３と逆止弁１４を通って混合タンク５に供給される。
【００２２】
この様な状態で、水供給弁１８が開弁されると、水供給源１６からの水Ｃは、水供給路４に依り水供給状態検出器１７と水供給弁１８を通って混合タンク５に供給される。
混合タンク５に供給されたオゾンガスＡと水Ｃは、この内部で膨張されながら混合（溶解）されてオゾン水Ｄが生成される。生成されたオゾン水Ｄは、混合タンク５内に貯留される。
【００２３】
この様な状態で、オゾン水排出弁２３が開弁されると、混合タンク５に貯溜されたオゾン水Ｄは、オゾン水排出路６に依りオゾン水排出状態検出器２２とオゾン水排出弁２３を通ってオゾン水貯溜槽２１に貯溜される。
【００２４】
この時、オゾン水濃度検出器２４に依りオゾン水Ｄの濃度が検出されるので、オゾン供給路２からのオゾンガスＡと水供給路４からの水Ｃの夫々流量を調節する事に依り所定の濃度のオゾン水Ｄにする事ができる。
【００２５】
オゾン水排出弁２３が閉弁されてオゾン水循環ポンプ２６が運転されると、オゾン水貯溜槽２１に貯溜されたオゾン水Ｄは、オゾン水排出路６とオゾン水循環路２５に依り循環されて濃度が一定に保たれる。
【００２６】
オゾン水製造装置１の運転を停止した状態で、ドレン弁２０が開弁されると、混合タンク５内のオゾン水Ｄがドレン路１９に依りドレン弁２０を通ってドレンされる。
【００２７】
オゾン発生手段２のオゾン発生器１１が運転されている状態で、三方弁１３がオゾンガス排出路１２側に切換えられた場合は、オゾン発生器１１で発生したオゾンガスＤが三方弁１３を通ってオゾンガス排出路１２から直接排出される。
【００２８】
オゾン水製造装置１は、酸素ガス供給弁１０と水供給弁１８とオゾン水排出弁２３の開閉弁操作と、オゾン発生器１１の運転操作を適宜行う事に依りバッチ式と流水式との両方式に依りオゾン水Ｄを製造する事ができる。
【００２９】
オゾンガス供給路３には、オゾン発生手段２からのオゾンガスＡを直接排出する為のオゾンガス排出路１２を備えているので、オゾン水ＤだけでなくオゾンガスＡも使用する事ができる。
オゾン水排出路６には、オゾン水Ｄの濃度を検出する為のオゾン水濃度検出器２４を備えているので、所定濃度のオゾン水Ｄを得る事ができる。
オゾン水排出路６には、オゾン水Ｄを循環させる為のオゾン水循環路２５と、これの途中に設けられたオゾン水循環ポンプ２６とを備えているので、オゾン水Ｄの濃度を均一にする事ができる。
【００３０】
混合タンク５は、縦長の容器状を呈し、上部略中央には水供給路４が下向きに接続されていると共に、これの近傍位置にはオゾンガス供給路３が下向きに接続されているので、オゾンガスＡと水Ｃとが同方向に平行して供給され、混合が円滑に行われて混合効率をより一層高める事ができる。
混合タンク５は、内部には何も設けられていない密閉型で、単にオゾンガス供給路３と水供給路４等が接続されているだけであるので、可動部分がなく、構造が極めて簡単である。
【００３１】
尚、オゾン発生手段２は、先の例では、酸素ボンベ７の酸素ガスＢからオゾンガスＡを発生させるものであったが、これに限らず、例えば空気中の酸素からオゾンガスを発生させるものでも良い。
水供給源１６は、先の例では、蛇口からの水道水を利用したが、これに限らず、例えば別途水発生装置等を設けても良い。
オゾンガス供給状態検出器１５は、先の例では、圧力スイッチであったが、これに限らず、例えばフロースイッチ等でも良い。
水供給状態検出器１７とオゾン水排出状態検出器２２は、先の例では、フロースイッチであったが、これに限らず、例えば圧力スイッチ等でも良い。
【図面の簡単な説明】
【００３２】
【図１】本発明のオゾン水製造装置の構造を示す概要図。
【符号の説明】
【００３３】
１…オゾン水製造装置、２…オゾン発生手段、３…オゾンガス供給路、４…水供給路、５…混合タンク、６…オゾン水排出路、７…酸素ボンベ、８…レギュレータ、９…酸素ガス供給路、１０…酸素ガス供給弁、１１…オゾン発生器、１２…オゾンガス排出路、１３…三方弁、１４…逆止弁、１５…オゾンガス供給状態検出器、１６…水供給源、１７…水供給状態検出器、１８…水供給弁、１９…ドレン路、２０…ドレン弁、２１…オゾン水貯溜槽、２２…オゾン水排出状態検出器、２３…オゾン水排出弁、２４…オゾン水濃度検出手段、２５…オゾン水循環路、２６…オゾン水循環ポンプ、２７…クイックジョイント、Ａ…オゾンガス、Ｂ…酸素ガス、Ｃ…水、Ｄ…オゾン水。
【図１】
2009000609.tif 000003